(57)【要約】  スリープモードでの運用時に、他のＨＮＢ−ＧＷからのモード確認メッセージ及びスリープモード解除要求メッセージに関わる機能部以外を停止可能とし、省電力運転を行うことが可能なＨＮＢゲートウェイ装置を提供する。ＨＮＢゲートウェイ装置（２）は、その使用率を把握する機能を備え、交換局とＨＮＢとの間において信号を中継するとともに、使用率が所定の値以下となった場合にスリープモードへ移行する。ＨＮＢゲートウェイ装置は、スリープモードへ移行する際にＨＭＳからＲＰＣ：ＳｅｔＰａｒａｍｅｔｅｒＶａｌｕｅｓを用いて、自装置に対してＨＮＢ  ｒｅｇｉｓｔｒａｔｉｏｎを行っているＨＮＢのＨＮＢゲートウェイリストを変更する手段（ＨＮＢ−ＧＷリスト管理部２３）を有する。
2012127840.tif 000002
【特許請求の範囲】
【請求項１】
ＨＮＢ（Ｈｏｍｅ  Ｎｏｄｅ  Ｂ）ゲートウェイ装置の使用率を把握する機能を備え、交換局とＨＮＢとの間において信号を中継するとともに、前記ＨＮＢゲートウェイ装置の使用率が所定の値以下となった場合にスリープモードへ移行するＨＮＢゲートウェイ装置であって、
前記スリープモードへ移行する際にＨＭＳ（Ｈｏｍｅ  Ｎｏｄｅ  Ｂ  Ｍａｎａｇｅｍｅｎｔ  Ｓｙｓｔｅｍ）からＲＰＣ：ＳｅｔＰａｒａｍｅｔｅｒＶａｌｕｅｓを用いて、自装置に対してＨＮＢ  ｒｅｇｉｓｔｒａｔｉｏｎを行っているＨＮＢのＨＮＢゲートウェイリストを変更する手段を有することを特徴とするＨＮＢゲートウェイ装置。
【請求項２】
他のＨＮＢゲートウェイ装置との間において、モード確認メッセージ、モード確認応答メッセージ、スリープモード解除要求メッセージ、スリープモード解除要求応答メッセージを送受信するためのＨＮＢ−ＧＷ間インタフェースを含み、
前記ＨＮＢ−ＧＷ間インタフェースを介して前記他のＨＮＢゲートウェイ装置との間で運用モードと前記使用率とを相互に通知して管理することを特徴とする請求項１記載のＨＮＢゲートウェイ装置。
【請求項３】
前記ＨＭＳとの間において、ＨＮＢ−ＧＷリスト問合せ要求メッセージ、ＨＮＢ−ＧＷリスト問合せ要求応答メッセージ、ＨＮＢ−ＧＷリスト変更要求メッセージ、ＨＮＢ−ＧＷリスト変更要求応答メッセージを送受信するための対ＨＭＳインタフェースを含み、
前記対ＨＭＳインタフェースを介して前記ＨＮＢが持つＨＮＢ−ＧＷリストを取得して変更することを特徴とする請求項１または請求項２記載のＨＮＢゲートウェイ装置。
【請求項４】
前記スリープモードへ移行する際に、通信中のＵＥ（Ｕｓｅｒ  Ｅｑｕｉｐｍｅｎｔ）が存在するかどうかを確認し、前記通信中のＵＥが存在しないＨＮＢに対してＨＮＢＡＰ：ＨＮＢ  ＤＥ−ＲＥＧＩＳＴＥＲメッセージを送信することを特徴とする請求項１から請求項３のいずれか記載のＨＮＢゲートウェイ装置。
【請求項５】
上記の請求項１から請求項４のいずれかに記載のＨＮＢゲートウェイ装置を含むことを特徴とするフェムトセルシステム。
【請求項６】
ＨＮＢ（Ｈｏｍｅ  Ｎｏｄｅ  Ｂ）ゲートウェイ装置の使用率を把握する機能を備え、交換局とＨＮＢとの間において信号を中継するとともに、前記ＨＮＢゲートウェイ装置の使用率が所定の値以下となった場合にスリープモードへ移行するＨＮＢゲートウェイ装置の省電力運用方法であって、
前記ＨＮＢゲートウェイ装置が、前記スリープモードへ移行する際にＨＭＳ（Ｈｏｍｅ  Ｎｏｄｅ  Ｂ  Ｍａｎａｇｅｍｅｎｔ  Ｓｙｓｔｅｍ）からＲＰＣ：ＳｅｔＰａｒａｍｅｔｅｒＶａｌｕｅｓを用いて、自装置に対してＨＮＢ  ｒｅｇｉｓｔｒａｔｉｏｎを行っているＨＮＢのＨＮＢゲートウェイリストを変更する処理を実行することを特徴とするＨＮＢ−ＧＷの省電力運用方法。
【請求項７】
前記ＨＮＢゲートウェイ装置に、他のＨＮＢゲートウェイ装置との間において、モード確認メッセージ、モード確認応答メッセージ、スリープモード解除要求メッセージ、スリープモード解除要求応答メッセージを送受信するためのＨＮＢ−ＧＷ間インタフェースを設け、
前記ＨＮＢ−ＧＷ間インタフェースを介して前記ＨＮＢゲートウェイ装置と前記他のＨＮＢゲートウェイ装置との間で運用モードと前記使用率とを相互に通知して管理することを特徴とする請求項６記載のＨＮＢ−ＧＷの省電力運用方法。
【請求項８】
前記ＨＮＢゲートウェイ装置に、前記ＨＭＳとの間において、ＨＮＢ−ＧＷリスト問合せ要求メッセージ、ＨＮＢ−ＧＷリスト問合せ要求応答メッセージ、ＨＮＢ−ＧＷリスト変更要求メッセージ、ＨＮＢ−ＧＷリスト変更要求応答メッセージを送受信するための対ＨＭＳインタフェースを設け、
前記対ＨＭＳインタフェースを介して前記ＨＮＢが持つＨＮＢ−ＧＷリストを取得して変更することを特徴とする請求項６または請求項７記載のＨＮＢ−ＧＷの省電力運用方法。
【請求項９】
前記スリープモードへ移行する際に、通信中のＵＥ（Ｕｓｅｒ  Ｅｑｕｉｐｍｅｎｔ）が存在するかどうかを確認し、前記通信中のＵＥが存在しないＨＮＢに対してＨＮＢＡＰ：ＨＮＢ  ＤＥ−ＲＥＧＩＳＴＥＲメッセージを送信することを特徴とする請求項６から請求項８のいずれか記載のＨＮＢ−ＧＷの省電力運用方法。
【発明の詳細な説明】
【技術分野】
【０００１】
本発明はＨＮＢゲートウェイ装置、フェムトセルシステム及びそれらに用いるＨＮＢ−ＧＷの省電力運用方法に関し、特にフェムトセルシステムを構成するＨＮＢ（Ｈｏｍｅ  Ｎｏｄｅ  Ｂ）−ＧＷ（Ｇａｔｅｗａｙ）の省電力運用に関する。
【背景技術】
【０００２】
上記のフェムトセルシステムを構成するＨＮＢ（Ｈｏｍｅ  Ｎｏｄｅ  Ｂ）は、一般家庭やオフィスに設置されるため、時間帯によっては、ＨＮＢやＨＮＢ−ＧＷの使用率が低くなる。ＨＮＢの省電力運用方法については様々な研究が行われているが、ＨＮＢ−ＧＷの省電力運用方法についても研究を行う必要がある。【０００３】
ここで、本発明に関連するフェムトセルシステムは、ＨＮＢと、ＨＮＢ−ＧＷと、ＨＭＳ（Ｈｏｍｅ  Ｎｏｄｅ  Ｂ  Ｍａｎａｇｅｍｅｎｔ  Ｓｙｓｔｅｍ）とを含んで構成されている。ＨＮＢは、家庭またはオフィスに設置されるような小型基地局であり、ＦＡＰ（Ｆｅｍｔｏ  Ａｃｃｅｓｓ  Ｐｏｉｎｔ）と呼ばれることもある。ＨＮＢ−ＧＷは、交換局とＨＮＢとの間において信号を中継する装置である。【０００４】
ＨＭＳ（Ｈｏｍｅ  Ｎｏｄｅ  Ｂ  Ｍａｎａｇｅｍｅｎｔ  Ｓｙｓｔｅｍ）は、ＨＮＢがＨＮＢ  Ｒｅｇｉｓｔｒａｔｉｏｎを行うことができるＨＮＢ−ＧＷのリストのようなＨＮＢの設定情報を管理する機能を備えている。【０００５】
上記のＨＮＢ−ＧＷの省電力運用については、サーバの負荷及び移動端末の収容状況に応じて省電力状態、稼働状態に移行する技術がある（例えば、特許文献１，２参照）。特許文献１に記載の技術では、ＭＭＥ（ＭＭＥ）が省電力状態に移行する前に、ｅＮｏｄｅＢが保持するＭＭＥプールからプール削除を行っている。【０００６】
尚、ＨＮＢ−ＧＷの省電力運用の際に使用するＨＮＢ−ＧＷの使用率を表す指標としては、ＵＥ（Ｕｓｅｒ  Ｅｑｕｉｐｍｅｎｔ）  Ｒｅｇｉｓｔｒａｔｉｏｎ数が用いられる。ＵＥ  Ｒｅｇｉｓｔｒａｔｉｏｎは、下記の非特許文献１に定められる標準の動作である。【０００７】
ＨＮＢ−ＧＷが、ＨＮＢがＨＮＢ  Ｒｅｇｉｓｔｒａｔｉｏｎを行うことができるＨＮＢ−ＧＷのリストを取得または変更するために、ＨＭＳ（Ｈｏｍｅ  Ｎｏｄｅ  Ｂ  Ｍａｎａｇｅｍｅｎｔ  Ｓｙｓｔｅｍ）が「ＨＮＢへＲＰＣ：Ｇｅｔ  Ｐａｒａｍｅｔｅｒ  Ｖａｌｕｅｓ」または「ＲＰＣ：Ｓｅｔ  Ｐａｒａｍｅｔｅｒ  Ｖａｌｕｅｓ」を送信し、ＨＭＳがその結果をＨＮＢ−ＧＷへ通知する。【０００８】
ＨＭＳが「ＲＰＣ：Ｇｅｔ  Ｐａｒａｍｅｔｅｒ  Ｖａｌｕｅｓ」及び「ＲＰＣ：Ｓｅｔ  Ｐａｒａｍｅｔｅｒ  Ｖａｌｕｅｓ」をＨＮＢへ送信することは、下記の非特許文献２に定められる標準動作である。【０００９】
ＨＮＢは、「該当ＨＮＢがＨＮＢ  Ｒｅｇｉｓｔｒａｔｉｏｎが可能なＨＮＢ−ＧＷのリスト」を保持する機能を備える。一般的に、下記の非特許文献３の「ＦＡＰＧＷＳｅｒｖｅｒ１」、「ＦＡＰＧＷＳｅｒｖｅｒ２」、「ＦＡＰＧＷＳｅｒｖｅｒ３」で記述されるように、「ＨＮＢ−ＧＷのリスト」には複数のＨＮＢ−ＧＷを設定することができる。
【先行技術文献】
【特許文献】
【００１０】
【特許文献１】特開２０１０−１７１７１４号公報
【特許文献２】特開２０１０−０１０９１９号公報
【非特許文献】
【００１１】
【非特許文献１】３ＧＰＰ  ＴＳ  ２５．４６７、"ＵＴＲＡＮ  ａｒｃｈｉｔｅｃｔｕｒｅ  ｆｏｒ  ３Ｇ  Ｈｏｍｅ  Ｎｏｄｅ  Ｂ（ＨＮＢ）"、Ｖ８．５．０（２０１０−０３）
【非特許文献２】ｂｒｏａｄｂａｎｄ  ｆｏｒｕｍ、ＴＲ−０６９、"ＣＰＥ  ＷＡＮ  Ｍａｎａｇｅｍｅｎｔ  Ｐｒｏｔｏｃｏｌ  ｖ１．１"
【非特許文献３】ｂｒｏａｄｂａｎｄ  ｆｏｒｕｍ、ＴＲ−１９６、"Ｆｅｍｔｏ  Ａｃｃｅｓｓ  Ｐｏｉｎｔ  Ｓｅｒｖｉｃｅ  Ｄｅｖｉｃｅ  Ｍｏｄｅｌ"、Ｉｓｓｕｅ：１
【発明の概要】
【発明が解決しようとする課題】
【００１２】
上述したＨＮＢ−ＧＷの省電力運用方法では、ＨＮＢが一般家庭やオフィスに設置されるため、時間帯によって、ＨＮＢやＨＮＢ−ＧＷの使用率が低くなる。そのため、ＨＮＢ−ＧＷの使用率に応じて、ＨＮＢ−ＧＷの省電力運用を実現する方法についても研究を行う必要がある。【００１３】
そこで、本発明の目的は上記の問題点を解消し、スリープモードでの運用時に、他のＨＮＢ−ＧＷからの「モード確認」メッセージ及び「スリープモード解除要求」メッセージに関わる機能部以外を停止することができ、省電力運転を行うことができるＨＮＢゲートウェイ装置、フェムトセルシステム及びそれらに用いるＨＮＢ−ＧＷの省電力運用方法を提供することにある。
【課題を解決するための手段】
【００１４】
本発明によるＨＮＢゲートウェイ装置は、ＨＮＢ（Ｈｏｍｅ  Ｎｏｄｅ  Ｂ）ゲートウェイ装置の使用率を把握する機能を備え、交換局とＨＮＢとの間において信号を中継するとともに、前記ＨＮＢゲートウェイ装置の使用率が所定の値以下となった場合にスリープモードへ移行するＨＮＢゲートウェイ装置であって、
前記スリープモードへ移行する際にＨＭＳ（Ｈｏｍｅ  Ｎｏｄｅ  Ｂ  Ｍａｎａｇｅｍｅｎｔ  Ｓｙｓｔｅｍ）からＲＰＣ：ＳｅｔＰａｒａｍｅｔｅｒＶａｌｕｅｓを用いて、自装置に対してＨＮＢ  ｒｅｇｉｓｔｒａｔｉｏｎを行っているＨＮＢのＨＮＢゲートウェイリストを変更する手段を備えている。【００１５】
本発明によるフェムトセルシステムは、上記のＨＮＢゲートウェイ装置を含むことを特徴とする。【００１６】
本発明によるＨＮＢ−ＧＷの省電力運用方法は、ＨＮＢ（Ｈｏｍｅ  Ｎｏｄｅ  Ｂ）ゲートウェイ装置の使用率を把握する機能を備え、交換局とＨＮＢとの間において信号を中継するとともに、前記ＨＮＢゲートウェイ装置の使用率が所定の値以下となった場合にスリープモードへ移行するＨＮＢゲートウェイ装置の省電力運用方法であって、
前記ＨＮＢゲートウェイ装置が、前記スリープモードへ移行する際にＨＭＳ（Ｈｏｍｅ  Ｎｏｄｅ  Ｂ  Ｍａｎａｇｅｍｅｎｔ  Ｓｙｓｔｅｍ）からＲＰＣ：ＳｅｔＰａｒａｍｅｔｅｒＶａｌｕｅｓを用いて、自装置に対してＨＮＢ  ｒｅｇｉｓｔｒａｔｉｏｎを行っているＨＮＢのＨＮＢゲートウェイリストを変更する処理を実行している。
【発明の効果】
【００１７】
本発明は、上記のような構成及び動作とすることで、スリープモードでの運用時に、他のＨＮＢ−ＧＷからの「モード確認」メッセージ及び「スリープモード解除要求」メッセージに関わる機能部以外を停止することができ、省電力運転を行うことができるという効果が得られる。
【図面の簡単な説明】
【００１８】
【図１】本発明の第１の実施の形態によるＨＮＢ−ＧＷの構成例を示すブロック図である。
【図２】本発明の第１の実施の形態によるＨＭＳの構成例を示すブロック図である。
【図３】本発明の第１の実施の形態によるフェムトセルシステムの構成例を示すブロック図である。
【図４】図１に示すＨＮＢリスト管理部で管理するＨＮＢリストの一例を示す図である。
【図５】図１に示すＵＥリスト管理部で管理するＵＥリストの一例を示す図である。
【図６】本発明の第１の実施の形態におけるＨＮＢ  Ｒｅｇｉｓｔｒａｔｉｏｎシーケンスを示すシーケンスチャートである。
【図７】本発明の第１の実施の形態におけるＨＮＢ  Ｄｅ−Ｒｅｇｉｓｔｒａｔｉｏｎ（ＨＮＢ  ｏｒｉｅｎｔｅｄ）シーケンスを示すシーケンスチャートである。
【図８】本発明の第１の実施の形態におけるＨＮＢ  Ｄｅ−Ｒｅｇｉｓｔｒａｔｉｏｎ（ＨＮＢ−ＧＷ  ｏｒｉｅｎｔｅｄ）シーケンスを示すシーケンスチャートである。
【図９】本発明の第１の実施の形態におけるＵＥ  Ｒｅｇｉｓｔｒａｔｉｏｎシーケンスを示すシーケンスチャートである。
【図１０】本発明の第１の実施の形態におけるＵＥ  Ｄｅ−Ｒｅｇｉｓｔｒａｔｉｏｎ（ＨＮＢ  ｏｒｉｅｎｔｅｄ）シーケンスを示すシーケンスチャートである。
【図１１】本発明の第１の実施の形態におけるＵＥ  Ｄｅ−Ｒｅｇｉｓｔｒａｔｉｏｎ（ＨＮＢ−ＧＷ  ｏｒｉｅｎｔｅｄ）シーケンスを示すシーケンスチャートである。
【図１２】本発明の第１の実施の形態におけるスリープモードへの移行シーケンスを示すシーケンスチャートである。
【図１３】本発明の第１の実施の形態におけるスリープモードへの移行シーケンスを示すシーケンスチャートである。
【図１４】本発明の第１の実施の形態における通常モードへの移行シーケンスを示すシーケンスチャートである。
【図１５】本発明の第１の実施の形態における通常モードへの移行シーケンスを示すシーケンスチャートである。
【図１６】本発明の第３の実施の形態によるフェムトセルシステムの動作を示すシーケンスチャートである。
【発明を実施するための形態】
【００１９】
次に、本発明の実施の形態について図面を参照して説明する。まず、本発明によるＨＮＢ−ＧＷ（Ｈｏｍｅ  Ｎｏｄｅ  Ｂ  Ｇａｔｅｗａｙ）（ＨＮＢゲートウェイ装置）の省電力運用方法について説明する。
【００２０】
本発明によるＨＮＢ−ＧＷの省電力運用方法は、使用率が少ないＨＮＢ−ＧＷが、スリープモードに移行することを可能にしたことを特徴としている。ＨＮＢ−ＧＷがスリープモードで運用している場合は、スリープモードの解除に必要になる機能以外を停止する。
【００２１】
ＨＮＢ−ＧＷの使用率を表す指標としては、ＵＥ（Ｕｓｅｒ  Ｅｑｕｉｐｍｅｎｔ）  Ｒｅｇｉｓｔｒａｔｉｏｎ数を用いる。ＵＥ  Ｒｅｇｉｓｔｒａｔｉｏｎは、上記の非特許文献１に定められる標準の動作であるため、ＵＥ及びＨＮＢ（Ｈｏｍｅ  Ｎｏｄｅ  Ｂ：ホームノードＢ）への変更を伴わずに、本発明を実現することができる。
【００２２】
ＨＮＢ−ＧＷでは、ＨＮＢがＨＮＢ  Ｒｅｇｉｓｔｒａｔｉｏｎを行うことができるＨＮＢ−ＧＷのリストを取得または変更するために、ＨＭＳ（Ｈｏｍｅ  Ｎｏｄｅ  Ｂ  Ｍａｎａｇｅｍｅｎｔ  Ｓｙｓｔｅｍ）がＨＮＢへ「ＲＰＣ：Ｇｅｔ  Ｐａｒａｍｅｔｅｒ  Ｖａｌｕｅｓ」または「ＲＰＣ：Ｓｅｔ  Ｐａｒａｍｅｔｅｒ  Ｖａｌｕｅｓ」を送信し、ＨＭＳがその結果をＨＮＢ−ＧＷへ通知する。
【００２３】
ＨＭＳが「ＲＰＣ：Ｇｅｔ  Ｐａｒａｍｅｔｅｒ  Ｖａｌｕｅｓ」及び「ＲＰＣ：Ｓｅｔ  Ｐａｒａｍｅｔｅｒ  Ｖａｌｕｅｓ」をＨＮＢへ送信することは、上記の非特許文献２に定められる標準動作であるため、ＨＮＢへの変更を伴わずに、本発明を実現することができる。
【００２４】
このように、本発明では、ＨＮＢ−ＧＷの使用率を示す指標を定義し、使用率が下がった場合にＨＮＢ−ＧＷをスリープモードへ移行させることにより、ＨＮＢ−ＧＷの省電力運用を可能にする。
【００２５】
図１は本発明の第１の実施の形態によるＨＮＢ−ＧＷの構成例を示すブロック図であり、図２は本発明の第１の実施の形態によるＨＭＳの構成例を示すブロック図であり、図３は本発明の第１の実施の形態によるフェムトセルシステムの構成例を示すブロック図である。
【００２６】
図３において、本発明の第１の実施の形態によるフェムトセルシステムは、ＨＭＳ１と、ＨＮＢ−ＧＷ２，３と、ＨＮＢ４１〜４ｘ，５１〜５ｙ（ｘ，ｙは正の整数）と、ＵＥ４１１〜４１ａ，・・・，４ｘ１〜４ｘｂ，・・・（ａ，ｂは正の整数）とから構成されている。
【００２７】
ＵＥ４１１〜４１ａ，・・・，４ｘ１〜４ｘｂ，・・・は、携帯電話端末である。ＨＮＢ４１〜４ｘ，５１〜５ｙは、家庭またはオフィスに設置されるような小型基地局であり、ＦＡＰ（Ｆｅｍｔｏ  Ａｃｃｅｓｓ  Ｐｏｉｎｔ）と呼ばれることもある。
【００２８】
ＨＮＢ−ＧＷ２，３は、上述した本発明に関連する移動通信方法で用いられている交換局（図示せず）とＨＮＢ４１〜４ｘ，５１〜５ｙとの間の中継を行う装置である。ＨＭＳ１は、「ＨＮＢ−ＧＷリスト」（後述）のようなＨＮＢ４１〜４ｘ，５１〜５ｙの設定情報を管理する機能を備える。
【００２９】
ＨＮＢ４１〜４ｘ，５１〜５ｙは、「該当ＨＮＢがＨＮＢ  Ｒｅｇｉｓｔｒａｔｉｏｎが可能なＨＮＢ−ＧＷのリスト」（以下、「ＨＮＢ−ＧＷリスト」と呼ぶ）を保持する機能を備える。一般的に、上記の非特許文献３の「ＦＡＰＧＷ  Ｓｅｒｖｅｒ１」、「ＦＡＰＧＷ  Ｓｅｒｖｅｒ２」、「ＦＡＰＧＷ  Ｓｅｒｖｅｒ３」で記述されるように、「ＨＮＢ−ＧＷリスト」には複数のＨＮＢ−ＧＷ２，３を設定することができる。
【００３０】
図１において、ＨＮＢ−ＧＷ２は、運用モード制御部２１と、ＵＥリスト管理部２２と、ＨＮＢリスト管理部２３と、対ＨＭＳインタフェース部２４と、ＨＮＢ−ＧＷ間インタフェース部２５とを備えて構成されている。尚、図示していないが、ＨＮＢ−ＧＷ３は、ＨＮＢ−ＧＷ２と同様の構成となっており、運用モード制御部３１と、ＵＥリスト管理部３２と、ＨＮＢリスト管理部３３と、対ＨＭＳインタフェース部３４と、ＨＮＢ−ＧＷ間インタフェース部３５とを備えている。また、ＨＮＢ−ＧＷ３を構成する各部は、ＨＮＢ−ＧＷ２を構成する各部と同様の動作を行う。
【００３１】
運用モード制御部２１は、ＨＮＢ−ＧＷ２の運用モードを制御する。ＵＥリスト管理部２２は、該当ＨＮＢ−ＧＷへＵＥ  Ｒｅｇｉｓｔｒａｔｉｏｎが行われているＵＥ（以下、「ＵＥリスト」と呼び、「ＵＥリスト」に含まれるＵＥの数を「ＵＥ  Ｒｅｇｉｓｔｒａｔｉｏｎ数」と呼ぶ）を管理する。
【００３２】
ＨＮＢリスト管理部２３は、該当ＨＮＢ−ＧＷへＨＮＢ  Ｒｅｇｉｓｔｒａｔｉｏｎが行われているＨＮＢのリスト（以下、「ＨＮＢリスト」と呼ぶ）を管理する。
【００３３】
対ＨＭＳインタフェース部２４は、ＨＭＳ１に対して、ＨＭＳ１経由でＨＮＢ４１〜４ｘ，５１〜５ｙの「ＨＮＢ−ＧＷリスト」を取得するための「ＨＮＢ−ＧＷリスト問合せ要求」メッセージ送信、「ＨＮＢ−ＧＷリスト問合せ要求応答」メッセージ受信、及びＨＭＳ１経由でＨＮＢ４１〜４ｘ，５１〜５ｙの「ＨＮＢ−ＧＷリスト」を変更するための「ＨＮＢ−ＧＷリスト変更要求」メッセージ送信、「ＨＮＢ−ＧＷリスト変更要求応答」メッセージ受信を行うためのインタフェース（図３のインタフェース１０２に対応する）である。
【００３４】
ＨＮＢ−ＧＷ間インタフェース部２５は、他のＨＮＢ−ＧＷ３に対して、スリープモードで運用しているか、通常モードで運用しているかを確認するための「モード確認」メッセージ及び「モード確認応答」メッセージ、スリープモードの解除を要求するための「スリープモード解除要求」メッセージ及び「スリープモード解除要求応答」メッセージを送受信するためのインタフェース（図３のインタフェース１０１に対応する）である。
【００３５】
これらのインタフェースは、３ＧＰＰ（Ｔｈｉｒｄ  Ｇｅｎｅｒａｔｉｏｎ  Ｐａｒｔｎｅｒｓｈｉｐｔ  Ｐｒｏｊｅｃｔ）等の標準インタフェースではなく、本発明により導入される。これらのインタフェースの実現に特別な制限はなく、例えば、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）の上位のアプリケーションレイヤとして実現可能である。
【００３６】
図２において、ＨＭＳ１は、対ＨＮＢ−ＧＷインタフェース部１１を備えている。対ＨＮＢ−ＧＷインタフェース部１１は、ＨＮＢ−ＧＷ２，３からの「ＨＮＢ−ＧＷリスト問合せ要求」メッセージ受信、「ＨＮＢ−ＧＷリスト問合せ要求応答」メッセージ送信、「ＨＮＢ−ＧＷリスト変更要求」メッセージ受信、「ＨＮＢ−ＧＷリスト変更要求応答」メッセージ送信を行うためのインタフェース（図３のインタフェース１０２に対応する）である。
【００３７】
本実施の形態では、３Ｇと呼ばれるフェムトセルシステムを用いて説明する。しかしながら、本発明の主旨を逸脱せずに、本発明を異なるフェムトセルシステムに適用することができる。例えば、３．９Ｇと呼ばれるＬＴＥ（Ｌｏｎｇ  Ｔｅｒｍ  Ｅｖｏｌｕｔｉｏｎ）のフェムトセルシステムに適用することができる。
【００３８】
図４は図１に示すＨＮＢリスト管理部２３で管理するＨＮＢリストの一例を示す図であり、図５は図１に示すＵＥリスト管理部２２で管理するＵＥリストの一例を示す図である。
【００３９】
図６は本発明の第１の実施の形態におけるＨＮＢ  Ｒｅｇｉｓｔｒａｔｉｏｎシーケンスを示すシーケンスチャートであり、図７は本発明の第１の実施の形態におけるＨＮＢ  Ｄｅ−Ｒｅｇｉｓｔｒａｔｉｏｎ（ＨＮＢ  ｏｒｉｅｎｔｅｄ）シーケンスを示すシーケンスチャートである。 
【００４０】
図８は本発明の第１の実施の形態におけるＨＮＢ  Ｄｅ−Ｒｅｇｉｓｔｒａｔｉｏｎ（ＨＮＢ−ＧＷ  ｏｒｉｅｎｔｅｄ）シーケンスを示すシーケンスチャートであり、図９は本発明の第１の実施の形態におけるＵＥ  Ｒｅｇｉｓｔｒａｔｉｏｎシーケンスを示すシーケンスチャートである。
【００４１】
図１０は本発明の第１の実施の形態におけるＵＥ  Ｄｅ−Ｒｅｇｉｓｔｒａｔｉｏｎ（ＨＮＢ  ｏｒｉｅｎｔｅｄ）シーケンスを示すシーケンスチャートであり、図１１は本発明の第１の実施の形態におけるＵＥ  Ｄｅ−Ｒｅｇｉｓｔｒａｔｉｏｎ（ＨＮＢ−ＧＷ  ｏｒｉｅｎｔｅｄ）シーケンスを示すシーケンスチャートである。
【００４２】
図１２及び図１３は本発明の第１の実施の形態におけるスリープモードへの移行シーケンスを示すシーケンスチャートであり、図１４及び図１５は本発明の第１の実施の形態における通常モードへの移行シーケンスを示すシーケンスチャートである。
【００４３】
これら図１〜図１５を参照して本発明の第１の実施の形態によるフェムトセルシステムの動作について説明する。尚、以下の説明では、本実施の形態において、上記の非特許文献１〜３等に記載された標準動作に係る機能部についての説明は省略する。
【００４４】
初めに、ＨＮＢ−ＧＷ２が「ＨＮＢリスト」を管理する方法について説明する。「ＨＮＢリスト」の更新は、ＨＮＢ４１がサービスを開始する時に行われるＨＮＢ  Ｒｅｇｉｓｔｒａｔｉｏｎ手順及びＨＮＢ４１がサービスを終了する時に行われるＨＮＢ  Ｄｅ−Ｒｅｇｉｓｔｒａｔｉｏｎ手順中に、ＨＮＢ−ＧＷ２によって行われる。
【００４５】
ＨＮＢ  Ｒｅｇｉｓｔｒａｔｉｏｎ手順及びＨＮＢ  Ｄｅ−Ｒｅｇｉｓｔｒａｔｉｏｎ手順は、上記の非特許文献１に定められる標準動作である。図６を参照して、ＨＮＢ  Ｒｅｇｉｓｔｒａｔｉｏｎ手順中の「ＨＮＢリスト」の更新方法について説明する。
【００４６】
ＨＮＢ４１の電源投入等の状況変化により、ＨＮＢ４１がＨＮＢ  Ｒｅｇｉｓｔｒａｔｉｏｎを行える状態になると、ＨＮＢ４１は、事前に設定された「ＨＮＢ−ＧＷリスト」から最も優先度が高いＨＮＢ−ＧＷ（ここでは、ＨＮＢ−ＧＷ２とする）を選択し、ＨＮＢＡＰ：ＨＮＢ  ＲＥＧＩＳＴＥＲ  ＲＥＱＵＥＳＴメッセージをＨＮＢ−ＧＷ２へ送信する（図６の手順ａ１，ａ２）。
【００４７】
ＨＮＢ−ＧＷ２は、ＨＮＢ４１のＨＮＢ  Ｒｅｇｉｓｔｒａｔｉｏｎを許容できる場合、ＨＮＢＡＰ：ＨＮＢ  ＲＥＧＩＳＴＥＲ  ＡＣＣＥＰＴメッセージをＨＮＢ４１へ送信する（図６の手順ａ３）。ＨＮＢ−ＧＷ２において、ＨＮＢリスト管理部２３は、「ＨＮＢリスト」にＨＮＢ４１を追加する（図４参照）（図６の手順ａ４）。
【００４８】
続いて、図７を参照して、ＨＮＢ  Ｄｅ−Ｒｅｇｉｓｔｒａｔｉｏｎ（ＨＮＢ  ｏｒｉｅｎｔｅｄ）手順中の「ＨＮＢリスト」の更新方法について説明する。
【００４９】
ＨＮＢ４１の設定変更等の状況変化により、ＨＮＢ−ＧＷ２へのＨＮＢ  Ｒｅｇｉｓｔｒａｔｉｏｎを継続できなくなった場合、ＨＮＢ４１は、ＨＮＢＡＰ：ＨＮＢ  ＤＥ−ＲＥＧＩＳＴＥＲメッセージをＨＮＢ−ＧＷ２へ送信する（図７手順ｂ１，ｂ２）。ＨＮＢ−ＧＷ２において、ＨＮＢリスト管理部２３は、「ＨＮＢリスト」からＨＮＢ４１を除外する（図７の手順ｂ３）。
【００５０】
さらに、図８を参照して、ＨＮＢ  Ｄｅ−Ｒｅｇｉｓｔｒａｔｉｏｎ（ＨＮＢ−ＧＷ  ｏｒｉｅｎｔｅｄ）手順中の「ＨＮＢリスト」の更新方法について説明する。 
【００５１】
ＨＮＢ−ＧＷ２の設定変更等の状況変化により、ＨＮＢ４１からのＨＮＢ  Ｒｅｇｉｓｔｒａｔｉｏｎを継続できなくなった場合、ＨＮＢ−ＧＷ２は、ＨＮＢＡＰ：ＨＮＢ  ＤＥ−ＲＥＧＩＳＴＥＲメッセージをＨＮＢ４１へ送信する（図８の手順ｃ１，ｃ２）。ＨＮＢ−ＧＷ２において、ＨＮＢリスト管理部２３は、「ＨＮＢリスト」からＨＮＢ４１を除外する（図８の手順ｃ３）。
【００５２】
以上のようにして、ＨＮＢ−ＧＷ２において、ＨＮＢリスト管理部２３は、「ＨＮＢリスト」を管理している。
【００５３】
次に、ＨＮＢ−ＧＷ２が「ＵＥリスト」を管理する方法について説明する。「ＵＥリスト」の更新は、ＵＥ４１１がフェムトセルシステムでサービスを利用開始する時に使用されるＵＥ  Ｒｅｇｉｓｔｒａｔｉｏｎ手順及びＵＥ４１１がフェムトセルシステムでのサービスを終了する時に使用されるＵＥ  Ｄｅ−Ｒｅｇｉｓｔｒａｔｉｏｎ手順中に、ＨＮＢ−ＧＷ２によって行われる。ＵＥ  Ｒｅｇｉｓｔｒａｔｉｏｎ手順及びＵＥ  Ｄｅ−Ｒｅｇｉｓｔｒａｔｉｏｎ手順は、上記の非特許文献１に定められる標準動作である。
【００５４】
図９を参照して、ＵＥ  Ｒｅｇｉｓｔｒａｔｉｏｎ手順中の「ＵＥリスト」の更新方法について説明する。
【００５５】
ＨＮＢ４１は、ＵＥ４１１がＨＮＢ４１の圏内に在圏していることを検出すると、ＨＮＢＡＰ：ＵＥ  ＲＥＧＩＳＴＥＲ  ＲＥＱＵＥＳＴメッセージをＨＮＢ−ＧＷ２へ送信する（図９の手順ｄ１，ｄ２）。
【００５６】
ＨＮＢ−ＧＷ２は、ＵＥ４１１のＵＥ  Ｒｅｇｉｓｔｒａｔｉｏｎを許容できる場合、ＨＮＢＡＰ：ＵＥ  ＲＥＧＩＳＴＥＲ  ＡＣＣＥＰＴメッセージをＨＮＢ４１へ送信する（図９の手順ｄ３）。ＨＮＢ−ＧＷ２において、ＵＥリスト管理部２２は、「ＵＥリスト」にＵＥ４１１を追加する（図５参照）（図９の手順ｄ４）。
【００５７】
図１０を参照して、ＵＥ  Ｄｅ−Ｒｅｇｉｓｔｒａｔｉｏｎ（ＨＮＢ  ｏｒｉｅｎｔｅｄ）手順中の「ＵＥリスト」の更新方法について説明する。
【００５８】
ＨＮＢ４１の設定変更等の状況変化により、ＵＥ４１１のＵＥ  Ｒｅｇｉｓｔｒａｔｉｏｎを継続できなくなった場合、ＨＮＢ４１は、ＨＮＢＡＰ：ＵＥ  ＤＥ−ＲＥＧＩＳＴＥＲメッセージをＨＮＢ−ＧＷ２へ送信する（図１０の手順ｅ１，ｅ２）。ＨＮＢ−ＧＷ２において、ＵＥリスト管理部２２は、「ＵＥリスト」からＵＥ４１１を削除する（図１０の手順ｅ３）。
【００５９】
図１１を参照して、ＵＥ  Ｄｅ−Ｒｅｇｉｓｔｒａｔｉｏｎ（ＨＮＢ−ＧＷ  ｏｒｉｅｎｔｅｄ）手順中の「ＵＥリスト」の更新方法について説明する。
【００６０】
ＨＮＢ−ＧＷ２の設定変更等の状況変化により、ＵＥ４１１のＵＥ  Ｒｅｇｉｓｔｒａｔｉｏｎを継続できなくなった場合、ＨＮＢ−ＧＷ２は、ＨＮＢＡＰ：ＵＥ  ＤＥ−ＲＥＧＩＳＴＥＲメッセージをＨＮＢ４１へ送信する（図１１の手順ｆ１，ｆ２）。ＨＮＢＧＷ２において、ＵＥリスト管理部２２は、「ＵＥリスト」からＵＥ４１１を削除する（図１１の手順ｆ３）。
【００６１】
以上のようにして、ＨＮＢ−ＧＷ２において、ＵＥリスト管理部２２は、「ＵＥリスト」を管理している。
【００６２】
次に、図１２及び図１３を参照して、ＨＮＢ−ＧＷ２とＨＮＢ−ＧＷ３が共に通常モードで運用されている状態から、ＨＮＢ−ＧＷ２がスリープモードへ移行する動作について説明する。
【００６３】
ＨＮＢ−ＧＷ２において、運用モード制御部２１が、ＨＮＢ−ＧＷ２でのＵＥ  Ｒｅｇｉｓｔｒａｔｉｏｎ手順またはＵＥ  Ｄｅ−Ｒｅｇｉｓｔｒａｔｉｏｎ手順の結果、ＨＮＢ−ＧＷ２の「ＵＥ  Ｒｅｇｉｓｔｒａｔｉｏｎ数」が所定の値以下になったことを検出すると、ＨＮＢ４１の「ＨＮＢ−ＧＷリスト」を取得するために、対ＨＭＳインタフェース部２４は、「ＨＮＢ−ＧＷリスト問合せ要求」メッセージをＨＭＳ１へ送信する（図１２の手順ｇ１，ｇ２）。
【００６４】
ＨＮＢ−ＧＷ２がスリープモードへ移行する場合、ＨＮＢ−ＧＷ２の「ＨＮＢリスト」に含まれる全てのＨＮＢ４１〜４ｘに対して、手順ｇ２から手順ｇ１２までの処理が繰り返されるが、以下の説明では、ＨＮＢ４１に関してのみ述べる。
【００６５】
ＨＭＳ１は、ＨＮＢ４１の「ＨＮＢ−ＧＷリスト」を保持していなければ、ＲＰＣ（Ｒｅｍｏｔｅ  Ｐｒｏｃｅｄｕｒｅ  Ｃａｌｌ）：Ｇｅｔ  Ｐａｒａｍｅｔｅｒ  ＶａｌｕｅｓをＨＮＢ４１へ送信し、「ＨＮＢ−ＧＷリスト」を取得する（図１２の手順ｇ３）。尚、手順ｇ３の処理は、ＨＭＳ１がＨＮＢ４１の「ＨＮＢ−ＧＷリスト」を保持していれば、実施しなくてもよい。
【００６６】
ＨＭＳ１において、対ＨＮＢ−ＧＷインタフェース部１１は、「ＨＮＢ−ＧＷリスト」を「ＨＮＢ−ＧＷリスト問合せ応答」メッセージと共にＨＮＢ−ＧＷ２へ送信する（図１２の手順ｇ４）。
【００６７】
ＨＮＢ４１の「ＨＮＢ−ＧＷリスト」に、ＨＮＢ−ＧＷ２以外のＨＮＢ−ＧＷ（ここでは、ＨＮＢ−ＧＷ３とする）が含まれていた場合、ＨＮＢ−ＧＷ２において、運用モード制御部２１は、手順ｇ５以降を継続する。ＨＮＢ４１の「ＨＮＢ−ＧＷリスト」に、ＨＮＢ−ＧＷ２以外のＨＮＢ−ＧＷが含まれていなかった場合、ＨＮＢ−ＧＷ２において、運用モード制御部２１はスリープモードへの移行を中止する。
【００６８】
ＨＮＢ−ＧＷ２において、ＨＮＢ−ＧＷ間インタフェース部２５は、「モード確認」メッセージをＨＮＢ−ＧＷ３へ送信する（図１２の手順ｇ５）。
【００６９】
ＨＮＢ−ＧＷ３において、運用モード制御部３１がＨＮＢ−ＧＷ３の運用モードを確認すると、ＨＮＢ−ＧＷ間インタフェース部３５は、「モード確認応答」メッセージをＨＮＢ−ＧＷ２へ送信する（図１２の手順ｇ６）。
【００７０】
ＨＮＢ−ＧＷ３が通常モードで運用している場合、ＨＮＢ−ＧＷ２において、運用モード制御部２１は、手順ｇ８においてＨＮＢ４１の「ＨＮＢ−ＧＷリスト」で優先度を最も高く設定するＨＮＢ−ＧＷとして、ＨＮＢ−ＧＷ３を選択する（図１２の手順ｇ７）。
【００７１】
ＨＮＢ−ＧＷ３がスリープモードで運用している場合、ＨＮＢ４１の「ＨＮＢ−ＧＷリスト」に他のＨＮＢ−ＧＷが存在すれば、ＨＮＢ−ＧＷ２は、そのＨＮＢ−ＧＷに対して手順ｇ５から手順ｇ７の動作を行う。「ＨＮＢ−ＧＷリスト」に他のＨＮＢ−ＧＷが存在しなければ、ＨＮＢ−ＧＷ２において、運用モード制御部２１は、スリープモードへの移行を中止する。
【００７２】
ＨＮＢ−ＧＷ２において、対ＨＭＳインタフェース部２４は、ＨＮＢ４１の「ＨＮＢＧＷリスト」において、ＨＮＢ−ＧＷ３の優先度を最も高く設定し、「ＨＮＢ−ＧＷリスト変更要求」メッセージをＨＭＳ１へ送信する（図１２の手順ｇ８）。
【００７３】
ＨＭＳ１は、ＲＰＣ：Ｓｅｔ  Ｐａｒａｍｅｔｅｒ  ＶａｌｕｅｓをＨＮＢ４１へ送信する（図１２の手順ｇ９）。ＨＮＢ４１は、ＨＭＳ１からの指示に従い、「ＨＮＢ−ＧＷリスト」を変更する（図１３の手順ｇ１０）。
【００７４】
ＨＭＳ１において、対ＨＮＢ−ＧＷインタフェース部１１は、「ＨＮＢ−ＧＷリスト」の変更が完了したことを通知するため、「ＨＮＢ−ＧＷリスト変更応答」メッセージをＨＮＢ−ＧＷ２へ送信する（図１３の手順ｇ１１）。
【００７５】
ＨＮＢ−ＧＷ２は、ＨＮＢ４１へＨＮＢＡＰ：ＨＮＢ  ＤＥ−ＲＥＧＩＳＴＥＲメッセージを送信する（図１３の手順ｇ１２）。この際、ＨＮＢＡＰ：ＨＮＢ  ＤＥ−ＲＥＧＩＳＴＥＲメッセージを受信したＨＮＢ４１が、通信中のＵＥを持っていた場合、その通信は切断されることになる。
【００７６】
ＨＮＢ−ＧＷ２において、運用モード制御部２１は、ＨＮＢ−ＧＷ２をスリープモードへ移行させる（図１３の手順ｇ１３）。
【００７７】
ＨＮＢ−ＧＷ２は、スリープモードで運用している時に、ＨＮＢＡＰ：ＨＮＢ  ＲＥＳＩＴＥＲ  ＲＥＱＵＥＳＴメッセージを受信した場合、ＨＮＢＡＰ：ＨＮＢ  ＲＥＧＩＳＴＥＲ  ＲＥＪＥＣＴを送信し、ＨＮＢ  Ｒｅｇｉｓｔｒａｔｉｏｎを受け付けない。ＨＮＢ−ＧＷ２は、スリープモードで運用している時でも、他のＨＮＢ−ＧＷ３からの「モード確認」メッセージ及び「スリープモード解除要求」メッセージを受信した場合、それらのメッセージに対する制御は可能である。
【００７８】
ＨＮＢ４１は、再度、ＨＮＢ  Ｒｅｇｉｓｔｒａｔｉｏｎを試みる。手順ｇ１０により、「ＨＮＢ−ＧＷリスト」において、ＨＮＢ−ＧＷ３の優先度が最も高く設定されているため、ＨＮＢ４１は、ＨＮＢＡＰ：ＨＮＢ  ＲＥＧＩＳＴＥＲ  ＲＥＱＵＥＳＴメッセージをＨＮＢ−ＧＷ３へ送信する（図１３の手順ｇ１４）。
【００７９】
ＨＮＢ−ＧＷ３は、ＨＮＢＡＰ：ＨＮＢ  ＲＥＧＩＳＴＥＲ  ＡＣＣＥＰＴメッセージをＨＮＢ４１へ送信し、ＨＮＢ  Ｒｅｇｉｓｔｒａｔｉｏｎを完了する（図１３の手順ｇ１５）。
【００８０】
ＨＮＢ４１がＨＮＢ−ＧＷ３にＨＮＢ  Ｒｅｇｉｓｔｒａｔｉｏｎを行う際、ネットワーク構成によっては、異なるＨＭＳへ接続する必要があるが、ＨＮＢとＨＭＳとの接続は、本発明と直接関係しない。そのため、本実施の形態では、ＨＮＢ４１がＨＮＢ−ＧＷ２にＨＮＢ  Ｒｅｇｉｓｔｒａｔｉｏｎをしている場合とＨＮＢ−ＧＷ３にＨＮＢ  Ｒｅｇｉｓｔｒａｔｉｏｎをしている場合で、同じＨＭＳ１を利用可能として説明している。
【００８１】
以上のようにして、ＨＮＢ−ＧＷ２は、スリープモードへ移行している。
【００８２】
次に、図１４及び図１５を参照して、ＨＮＢ−ＧＷ２がスリープモード、ＨＮＢ−ＧＷ３が通常モードで運用されている状態から、ＨＮＢ−ＧＷ２が通常モードへ移行する動作について説明する。
【００８３】
ＨＮＢ−ＧＷ３において、運用モード制御部３１がＨＮＢ−ＧＷ３でのＵＥ  Ｒｅｇｉｓｔｒａｔｉｏｎ手順またはＵＥ  Ｄｅ−Ｒｅｇｉｓｔｒａｔｉｏｎ手順の結果、ＨＮＢ−ＧＷ３の「ＵＥ  Ｒｅｇｉｓｔｒａｔｉｏｎ数」が所定の値以上になったことを検出すると、ＨＮＢ４１の「ＨＮＢ−ＧＷリスト」を取得するために、対ＨＭＳインタフェース部３４は、「ＨＮＢ−ＧＷリスト問合せ要求」メッセージをＨＭＳ１へ送信する（図１４の手順ｈ１，ｈ２）。
【００８４】
手順ｈ２から手順ｈ６までの処理は、ＨＮＢ−ＧＷ３の「ＨＮＢリスト」に含まれる全てのＨＮＢに対して繰り返されるが、以下の説明ではＨＮＢ４１に関してのみ述べる。
【００８５】
ＨＭＳ１は、ＨＮＢ４１の「ＨＮＢ−ＧＷリスト」を保持していなければ、ＲＰＣ：Ｇｅｔ  Ｐａｒａｍｅｔｅｒ  ＶａｌｕｅｓをＨＮＢ４１へ送信し、「ＨＮＢ−ＧＷリスト」を取得する（図１４の手順ｈ３）。尚、ＨＭＳ１は、ＨＮＢ４１の「ＨＮＢ−ＧＷリスト」を保持していれば、手順ｈ３の処理を実施しなくてもよい。
【００８６】
ＨＭＳ１において、対ＨＮＢ−ＧＷインタフェース部１１は、「ＨＮＢ−ＧＷリスト」を「ＨＮＢ−ＧＷリスト問合せ応答」メッセージと共にＨＮＢ−ＧＷ３へ送信する（図１４の手順ｈ４）。
【００８７】
ＨＮＢ４１の「ＨＮＢ−ＧＷリスト」に、ＨＮＢ−ＧＷ３以外のＨＮＢ−ＧＷ（ここでは、ＨＮＢ−ＧＷ２とする）が含まれていた場合、ＨＮＢ−ＧＷ３は、手順ｈ５以降を継続する。
【００８８】
ＨＮＢ−ＧＷ３において、ＨＮＢ−ＧＷ間インタフェース部３５は、手順ｈ４の処理で得られた「ＨＮＢ−ＧＷリスト」に含まれるＨＮＢ−ＧＷ（ここでは、ＨＮＢ−ＧＷ２とする）へ「モード確認」メッセージを送信する（図１４の手順ｈ５）。
【００８９】
ＨＮＢ−ＧＷ２において、運用モード制御部２１がＨＮＢ−ＧＷ２の運用モードを確認すると、ＨＮＢ−ＧＷ間インタフェース部２５は、「モード確認応答」メッセージをＨＮＢ−ＧＷ３へ送信する（図１４の手順ｈ６）。
【００９０】
ＨＮＢ−ＧＷ３において、運用モード制御部３１は、スリープモードで運用しているＨＮＢ−ＧＷから１つ（ここでは、ＨＮＢ−ＧＷ２とする）を選択する。また、運用モード制御部３１は、ＨＮＢ−ＧＷ２を「ＨＮＢ−ＧＷリスト」に持つＨＮＢの全部または一部を、手順ｈ８の処理で「ＨＮＢ−ＧＷリスト」が変更するＨＮＢとして選択する（図１４の手順ｈ７）。
【００９１】
手順ｈ１１から手順ｈ１７までの処理は、手順ｈ７で選択された全てのＨＮＢに対して繰り返し行われるが、以下の説明では、ＨＮＢ４１に関してのみ述べる。
【００９２】
ＨＮＢ−ＧＷ３において、ＨＮＢ−ＧＷ間インタフェース部３５は、「スリープモード解除要求」メッセージをＨＮＢ−ＧＷ２へ送信する（図１４の手順ｈ８）。
【００９３】
ＨＮＢ−ＧＷ２において、運用モード制御部２１は、ＨＮＢ−ＧＷ２を通常モードに移行させる。以降、ＨＮＢ−ＧＷ２は、ＨＮＢＡＰ：ＨＮＢ  ＲＥＳＩＴＥＲ  ＲＥＱＵＥＳＴメッセージを受信した場合、ＨＮＢ  Ｒｅｇｉｓｔｒａｔｉｏｎを受け付けることができる（図１４の手順ｈ９）。
【００９４】
ＨＮＢ−ＧＷ２において、ＨＮＢ−ＧＷ間インタフェース部２５は、「スリープモード解除要求応答」メッセージをＨＮＢ−ＧＷ３へ送信する（図１５の手順ｈ１０）。
【００９５】
ＨＮＢ−ＧＷ３において、対ＨＭＳインタフェース部３４は、ＨＮＢ４１の「ＨＮＢＧＷリスト」において、ＨＮＢ−ＧＷ２の優先度を最も高く設定し、「ＨＮＢ−ＧＷリスト変更要求」メッセージをＨＭＳ１へ送信する（図１５の手順ｈ１１）。
【００９６】
ＨＭＳ１は、ＲＰＣ：Ｓｅｔ  Ｐａｒａｍｅｔｅｒ  ＶａｌｕｅｓをＨＮＢ４１へ送信する（図１５の手順ｈ１２）。ＨＮＢ４１は、ＨＭＳ１からの指示に従い、「ＨＮＢ−ＧＷリスト」を変更する（図１５の手順ｈ１３）。
【００９７】
ＨＭＳ１において、対ＨＮＢ−ＧＷインタフェース部１１は、「ＨＮＢ−ＧＷリスト」の変更が完了したことを通知するため、「ＨＮＢ−ＧＷリスト変更応答」メッセージをＨＮＢ−ＧＷ３へ送信する（図１５の手順ｈ１４）。
【００９８】
ＨＮＢ−ＧＷ３は、ＨＮＢ４１へＨＮＢＡＰ：ＨＮＢ  ＤＥ−ＲＥＧＩＳＴＥＲメッセージを送信する（図１５の手順ｈ１５）。ＨＮＢ４１は、再度、ＨＮＢ  Ｒｅｇｉｓｔｒａｔｉｏｎを試みる。手順ｈ１３の処理により、「ＨＮＢ−ＧＷリスト」において、ＨＮＢ−ＧＷ２の優先度が最も高く設定されているため、ＨＮＢ４１は、ＨＮＢＡＰ：ＨＮＢ  ＲＥＧＩＳＴＥＲ  ＲＥＱＵＥＳＴメッセージをＨＮＢ−ＧＷ２へ送信する（図１５の手順ｈ１６）。
【００９９】
ＨＮＢ−ＧＷ２は、ＨＮＢＡＰ：ＨＮＢ  ＲＥＧＩＳＴＥＲ  ＡＣＣＥＰＴメッセージをＨＮＢ４１へ送信し、ＨＮＢ  Ｒｅｇｉｓｔｒａｔｉｏｎを完了する（図１５の手順ｈ１７）。
【０１００】
以上のようにして、ＨＮＢ−ＧＷ２は、通常モードへ移行している。
【０１０１】
このように、本実施の形態では、ＨＮＢ−ＧＷ２，３の使用率が低い場合に、ＨＮＢＧＷ２，３をスリープモードへ移行させることを可能としている。スリープモードでの運用時は、他のＨＮＢ−ＧＷからの「モード確認」メッセージ及び「スリープモード解除要求」メッセージに関わる機能部以外を停止することができ、省電力運転が可能になる。
【０１０２】
本発明の第２の実施の形態としては、基本的な構成及び手順が、上述した本発明の第１の実施の形態と同様であるが、ＨＮＢ−ＧＷ２がスリープモードへ移行する際に使用するＨＮＢ−ＧＷ３からの「モード確認応答」メッセージについてさらに工夫している。以下、本実施の形態の動作について、図１２を参照して説明する。本実施の形態による変更点は、手順ｇ６及び手順ｇ７の処理である。
【０１０３】
ＨＮＢ−ＧＷ３は、ＨＮＢ−ＧＷ３の運用モードに加えて、ＨＮＢ−ＧＷ３の「ＵＥ  ｒｅｇｉｓｔｒａｔｉｏｎ数」を、「モード確認応答」メッセージでＨＮＢ−ＧＷ２へ送信する（図１２の手順ｇ６）。
【０１０４】
ＨＮＢ−ＧＷ３が通常モードで運用している場合、かつ、ＨＮＢ−ＧＷ３の「ＵＥ  ｒｅｇｉｓｔｒａｔｉｏｎ数」が所定の値以下の場合、手順ｇ８においてＨＮＢ４１の「ＨＮＢ−ＧＷリスト」で優先度を最も高く設定するＨＮＢ−ＧＷとして、ＨＮＢ−ＧＷ３を選択する（図１２の手順ｇ７）。
【０１０５】
ＨＮＢ−ＧＷ３が通常モードで運用していない場合、または、ＨＮＢ−ＧＷ３の「ＵＥ  ｒｅｇｉｓｔｒａｔｉｏｎ数」が所定の値を超える場合、「ＨＮＢ−ＧＷリスト」に他のＨＮＢ−ＧＷが存在すれば、ＨＮＢ−ＧＷ２はそのＨＮＢ−ＧＷに対して手順ｇ５から手順ｇ７までの動作を行う。「ＨＮＢ−ＧＷリスト」に他のＨＮＢ−ＧＷが存在しなければ、ＨＮＢ−ＧＷ２はスリープモードへの移行を中止する。
【０１０６】
このように、本実施の形態では、他のＨＮＢ−ＧＷ３の使用率を考慮してからスリープモードへ移行しているので、スリープモード移行後、他のＨＮＢ−ＧＷ３の使用率が大幅に高くなることを回避することができる。
【０１０７】
本発明の第３の実施の形態としては、基本的な構成及び手順が、上述した本発明の第１の実施の形態と同様であるが、ＨＮＢＡＰ：ＨＮＢ  ＤＥ−ＲＥＧＩＳＴＥＲメッセージの送信タイミングについてさらに工夫している。
【０１０８】
図１６は本発明の第３の実施の形態によるフェムトセルシステムの動作を示すシーケンスチャートである。図１６においては、図１２及び図１３に示す手順ｇ１から手順ｇ１１までの処理を行った後の動作を示している。この図１６を参照して本発明の第３の実施の形態によるフェムトセルシステムの動作について説明する。
【０１０９】
ＨＮＢ−ＧＷ２は、ＨＮＢ−ＧＷ２を通じて通信しているＵＥが存在するかをチェックする。また、そのＵＥがどのＨＮＢを通じて通信しているかもチェックする。これ以降、ＨＮＢ−ＧＷ２は、新たにＵＥが通信を開始することを許可しない（図１６の手順ｉ１−１）。
【０１１０】
通信中のＵＥを持たない全てのＨＮＢ（ここでは、ＨＮＢ４１〜４３とする）に対して、ＨＮＢ−ＧＷ２は、ＨＮＢＡＰ：ＨＮＢ  ＤＥ−ＲＥＧＩＳＴＥＲメッセージを送信する（図１６の手順ｉ２−１）。
【０１１１】
ＨＮＢＡＰ：ＨＮＢ  ＤＥ−ＲＥＧＩＳＴＥＲメッセージを受信したＨＮＢ４１は、ＨＮＢＡＰ：ＨＮＢ  ＲＥＧＩＳＴＥＲ  ＲＥＱＵＥＳＴメッセージをＨＮＢ−ＧＷ３へ送信する（図１６の手順ｉ３−１）。
【０１１２】
ＨＮＢ−ＧＷ３は、ＨＮＢＡＰ：ＨＮＢ  ＲＥＧＩＳＴＥＲ  ＡＣＣＥＰＴメッセージをＨＮＢ４１へ送信する（図１６の手順ｉ４−１）。
【０１１３】
通信中のＵＥを持つＨＮＢに対して、ＵＥの通信が終了して該当ＨＮＢが通信中のＵＥを持たなくなった後、ＨＮＢ−ＧＷ２は、ＨＮＢＡＰ：ＨＮＢ  ＤＥ−ＲＥＧＩＳＴＥＲメッセージを送信する［図１６の手順ｉ１−２，ｉ２−２（手順ｉ１−３，ｉ２−３も同じ）］。
【０１１４】
ＨＮＢＡＰ：ＨＮＢ  ＤＥ−ＲＥＧＩＳＴＥＲメッセージを受信したＨＮＢ４１は、ＨＮＢＡＰ：ＨＮＢ  ＲＥＧＩＳＴＥＲ  ＲＥＱＵＥＳＴメッセージをＨＮＢ−ＧＷ３へ送信する［図１６の手順ｉ３−２（手順ｉ３−３も同じ）］。
【０１１５】
ＨＮＢ−ＧＷ３は、ＨＮＢＡＰ：ＨＮＢ  ＲＥＧＩＳＴＥＲ  ＡＣＣＥＰＴメッセージを該当ＨＮＢ４１へ送信する［図１６の手順ｉ４−２（手順ｉ４−３も同じ）］。
【０１１６】
ＨＮＢ−ＧＷ２は、ＨＮＢＡＰ：ＨＮＢ  ＤＥ−ＲＥＧＩＳＴＥＲメッセージを、ＨＮＢ−ＧＷ３の「ＨＮＢリスト」に含まれる全てのＨＮＢ（ここでは、ＨＮＢ４１〜４３）へ送信した後、スリープモードへ移行する（図１６の手順ｉ５）。
【０１１７】
このように、本実施の形態では、通信中のＵＥが存在しなくなるのを待ってからスリープモードへ移行しているので、ＵＥの通信を切断することなく、スリープモードへ移行することができる。但し、所定の時間以上経っても、ＵＥが通信を継続している場合は、強制的にスリープモードへ移行してもよい。
【０１１８】
本発明の第４の実施の形態としては、基本的な構成及び手順が、上述した本発明の第１の実施の形態と同様であるが、ＨＮＢ−ＧＷがＵＥ  Ｒｅｇｉｓｔｒａｔｉｏｎが行われているＵＥを管理する機能を備える代わりに、ＨＮＢ−ＧＷのＣＰＵ（Ｃｅｎｔｒａｌ  Ｐｒｏｃｅｓｓｉｎｇ  Ｕｎｉｔ）使用率を管理する機能を備える等の必要な変更を加えることにより、ＨＮＢ−ＧＷの使用率を表す指標として、ＨＮＢ−ＧＷのＣＰＵ使用率を用いることもできる。
【０１１９】
本発明の第５の実施の形態としては、基本的な構成及び手順が、上述した本発明の第１の実施の形態と同様であるが、ＨＮＢ−ＧＷが、ＵＥ  Ｒｅｇｉｓｔｒａｔｉｏｎが行われているＵＥを管理する機能を備える代わりに、単位時間当たりにＨＮＢ−ＧＷを通過するＤａｔａ  Ｖｏｌｕｍｅを監視する機能を備える等の必要な変更を加えることにより、ＨＮＢ−ＧＷの使用率を表す指標として、単位時間当たりにＨＮＢ−ＧＷを通過するＤａｔａ  Ｖｏｌｕｍｅを用いることもできる。
【０１２０】
上述した本発明の第４の実施の形態と本発明の第５の実施の形態とを同時に実施することはできない。しかしながら、それ以外の実施の形態は、組み合わせとして実施することが可能である。
【０１２１】
なお、上記の実施の形態によって本発明は限定されるものではなく、請求の範囲の記載に基づき、当業者によって種々の変更が可能なことは明らかである。
【０１２２】
この出願は、２０１１年３月２３日に出願された日本出願特願２０１１−０６３４５８を基礎とする優先権を主張し、その開示の全てをここに取り込む。
【産業上の利用可能性】
【０１２３】
本発明は、ＨＮＢゲートウェイ装置、フェムトセルシステム及びそれらに用いるＨＮＢ−ＧＷの省電力運用方法に適用され、特にフェムトセルシステムを構成するＨＮＢ（Ｈｏｍｅ  Ｎｏｄｅ  Ｂ）−ＧＷ（Ｇａｔｅｗａｙ）の省電力運用に適用される。
【符号の説明】
【０１２４】
１  ＨＭＳ
２，３  ＨＮＢ−ＧＷ
１１  対ＨＮＢ−ＧＷインタフェース部
２１  運用モード制御部
２２  ＵＥリスト管理部
２３  ＨＮＢリスト管理部
２４  対ＨＭＳインタフェース部
２５  ＨＮＢ−ＧＷ間インタフェース部
４１〜４ｘ, ５１〜５ｙ  ＨＮＢ
４１１〜４１ａ, ４ｘ１〜４ｘｂ  ＵＥ
【図１】
2012127840.tif 000003
【図２】
2012127840.tif 000004
【図３】
2012127840.tif 000005
【図４】
2012127840.tif 000006
【図５】
2012127840.tif 000007
【図６】
2012127840.tif 000008
【図７】
2012127840.tif 000009
【図８】
2012127840.tif 000010
【図９】
2012127840.tif 000011
【図１０】
2012127840.tif 000012
【図１１】
2012127840.tif 000013
【図１２】
2012127840.tif 000014
【図１３】
2012127840.tif 000015
【図１４】
2012127840.tif 000016
【図１５】
2012127840.tif 000017
【図１６】
2012127840.tif 000018
【国際調査報告】
2012127840.tif 000019
2012127840.tif 000020